(57)【要約】【課題】荷電粒子等のクロストークの発生を抑制した高い発光輝度のプラズマディスプレイ装置を提供する。【解決手段】２つの基板を対向配置してその基板間に複数の放電セルを形成することにより構成され、一方の基板上に、少なくとも走査電極と維持電極とからなる表示電極を、その表示電極が間にセル間ギャップを設けて各放電セル毎に１組配置されるとともに所定のセル間ギャップを介して維持電極同士が隣り合って並ぶように形成したプラズマディスプレイパネルと、アドレス期間において、走査電極に走査パルスを印加するとともに、その走査電極とともに表示電極を構成している維持電極に走査パルスとは逆極性の書き込みパルスを印加する駆動手段とを有する。【選択図】　図１
2004070138.tif 000002
【特許請求の範囲】
【請求項１】
２つの基板を対向配置してその基板間に複数の放電セルを形成することにより構成され、一方の基板上に、少なくとも走査電極と維持電極とからなる表示電極を、その表示電極が間にセル間ギャップを設けて各放電セル毎に１組配置されるとともに所定のセル間ギャップを介して維持電極同士が隣り合って並ぶように形成したプラズマディスプレイパネルと、アドレス期間において、前記走査電極に走査パルスを印加するとともに、その走査電極とともに表示電極を構成している維持電極に前記走査パルスとは逆極性のパルスを印加する駆動手段とを有することを特徴とするプラズマディスプレイ装置。
【請求項２】
２つの基板を対向配置してその基板間に複数の放電セルを形成することにより構成され、一方の基板上に、走査電極と維持電極とからなる表示電極を、走査電極同士および維持電極同士が隣り合って並ぶように複数配列して形成し、かつ前記表示電極が各放電セル毎に１組配置されるように構成されたプラズマディスプレイパネルと、アドレス期間において、前記走査電極に走査パルスを印加するとともに、その走査電極とともに表示電極を構成している維持電極に前記走査パルスとは逆極性のパルスを印加する駆動手段とを有することを特徴とするプラズマディスプレイ装置。
【請求項３】
２つの基板を対向配置してその基板間に複数の放電セルを形成することにより構成され、一方の基板上に、第一維持電極、走査電極および第二維持電極を、この順に構成される表示電極が各放電セル毎に１組配置されるように形成したプラズマディスプレイパネルと、アドレス期間において、前記走査電極に走査パルスを印加するとともに、その走査電極とともに表示電極を構成している第一維持電極および第二維持電極に前記走査パルスとは逆極性のパルスを印加する駆動手段とを有することを特徴とするプラズマディスプレイ装置。
【発明の詳細な説明】
【０００１】
【発明の属する技術分野】
本発明はプラズマディスプレイ装置に関するものである。
【０００２】
【従来の技術】
プラズマディスプレイパネルは、ガス放電によって発生した紫外線によって蛍光体を励起発光させて画像表示を行っており、図４に示すように、間に放電空間１を形成するように表面基板２と背面基板３とを対向配置して構成されている。表面基板２上には、走査電極４および維持電極５が複数形成されている。走査電極４および維持電極５はそれぞれ透明電極６の上に金属からなるバス電極７を形成して構成している。また、走査電極４および維持電極５を覆うように表面基板２上に第一誘電体層８が形成され、さらに第一誘電体層８上に保護層９が形成されている。
【０００３】
背面基板３上には表示情報を書き込むためのデータ電極１０が複数形成され、データ電極１０を覆うように背面基板３上に第二誘電体層１１が形成されている。第二誘電体層１１上には、データ電極１０の間に位置するようにデータ電極１０に平行な隔壁１２が形成され、第二誘電体層１１の表面および隔壁１２の側面には蛍光体層１３が形成されている。データ電極１０および隔壁１２は、走査電極４および維持電極５と直交するよう配置されており、走査電極４および維持電極５とデータ電極１０との交差部に放電セルが形成される。
【０００４】
放電空間１には放電ガスとしてネオン（Ｎｅ）とキセノン（Ｘｅ）の混合ガスが５００Ｔｏｒｒ程度の圧力で充填されている。隔壁１２は、隣接する放電セル間を仕切り、ガス放電に関わる荷電粒子等のクロストークによる誤放電や光学的クロストークによる混色を防いでいる。
【０００５】
図５は従来のパネルにおいて走査電極４および維持電極５の配列の一例を示す概略図であり、走査電極４、維持電極５、データ電極１０および隔壁１２をそれらの位置関係がわかるように示している。一点鎖線で囲んだ領域は１つの放電セル１４を表している。図５に示すパネルでは、放電ギャップ１５をあけて配置された走査電極４および維持電極５からなる表示電極が各行に形成され、行間において走査電極４同士または維持電極５同士が隣り合うようにセル間ギャップ１６をあけて配置されている。
【０００６】
次に、従来のパネルの表示動作について駆動電圧波形を示す図６を用いて説明する。テレビ映像を表示する場合、ＮＴＳＣ方式において映像は１秒間に６０個のフレームで構成されている。このパネルで画像表示を行う場合、一定の強さをもつ発光パルスの数を例えば１、２、４、８、１６、３２、６４、１２８のようにバイナリで重み付けした８個のサブフィールドによって１フレームを構成する。８個のサブフィールドはそれぞれの重み付けに応じた輝度の表示を行うものであり、これら８個のサブフィールドの中から表示に用いるサブフィールドを１個または複数個選択して所定輝度の表示を行うことにより階調表示を行っている。各サブフィールドは初期化期間、アドレス期間および表示期間からなる。
【０００７】
初期化期間では、まず維持電極５に全面同時消灯パルスを印加することにより前のサブフィールドでの維持放電を終了させる。続いて走査電極４に全面同時点灯パルスを印加することによりすべての放電セルについて初期化放電を行い、次に維持電極５に全面同時消灯パルスを印加して初期化放電を終了させる。これにより、すべての放電セルにおいて前のサブフィールドの表示期間における点灯状態の影響を受けないようにする。
【０００８】
初期化期間の後のアドレス期間では、１行目の走査電極４に走査パルスを印加すると同時に所望のデータ電極１０に書き込み信号パルスを印加することにより、１行目の放電セル１４のうち点灯させたい放電セル１４で書き込み放電を起こし、保護層９の表面および蛍光体層１３の表面に壁電荷を蓄積させる。２行目以降のすべての行についても順次同様にして点灯させたい放電セル１４で書き込み放電を起こす。このようにして表示情報の書き込みを行う。
【０００９】
アドレス期間の後の表示期間では、走査電極４と維持電極５との間に数十ｋＨｚ〜数百ｋＨｚの放電維持パルスを印加することにより、アドレス期間において書き込み放電を起こした放電セル１４内でのみ維持放電を発生させる。維持放電で発生する紫外線によって蛍光体層１３を励起し、可視光を発生させて表示動作を行う。
【００１０】
【発明が解決しようとする課題】
しかしながら図５に示す構成のパネルでは、放電によって発生する荷電粒子等のクロストークが発生し、各放電セルの点灯／非点灯の制御を安定して行うことができなくなるという問題があった。特に、維持電極５同士が隣り合って配置されている行間において荷電粒子等のクロストークが多発した。
【００１１】
荷電粒子等のクロストークの発生を抑制する方法として、セル間ギャップ１６の長さを大きく設定することが考えられるが、放電セル１４の大きさおよび放電ギャップ１５の長さを変えないとすると、走査電極４および維持電極５の幅を狭くしなければならないため発光輝度が低下するという問題がある。
【００１２】
本発明はこのような課題を解決するためになされたものであり、荷電粒子等のクロストークの発生を抑制した高い発光輝度のプラズマディスプレイ装置を提供することを目的とする。
【００１３】
【課題を解決するための手段】
上記目的を達成するために、本発明のプラズマディスプレイ装置は、２つの基板を対向配置してその基板間に複数の放電セルを形成することにより構成され、一方の基板上に、少なくとも走査電極と維持電極とからなる表示電極を、その表示電極が間にセル間ギャップを設けて各放電セル毎に１組配置されるとともに所定のセル間ギャップを介して維持電極同士が隣り合って並ぶように形成したプラズマディスプレイパネルと、アドレス期間において、前記走査電極に走査パルスを印加するとともに、その走査電極とともに表示電極を構成している維持電極に前記走査パルスとは逆極性のパルスを印加する駆動手段とを有するものである。
【００１４】
【発明の実施の形態】
以下、本発明の一実施の形態について図１〜図３の図面を参照して説明する。なお、図４〜図６に示す部分と同一部分については同じ符号を付けている。
【００１５】
本発明の第１の実施の形態によるパネルは、図４および図５に示したパネルと同様の構造であり、図４に示すように、２つの基板である表面基板２と背面基板３との間に放電空間１を形成するように対向配置し、表面基板２と背面基板３の周縁部を封着ガラスで気密封止して構成している。放電空間１にはＮｅとＸｅの混合ガスからなる放電ガスを所定の圧力および混合比で充填している。
【００１６】
ガラスからなる表面基板２上には、走査電極４および維持電極５からなる表示電極を複数形成している。走査電極４および維持電極５はそれぞれ透明電極６とその上に形成したバス電極７とにより構成されている。透明電極６はインジウムスズ酸化物（ＩＴＯ）または酸化スズ（ＳｎＯ２）等からなり、バス電極７は銀（Ａｇ）厚膜（厚み２μｍ〜１０μｍ）、アルミニウム（Ａｌ）薄膜（厚み０．１μｍ〜１μｍ）またはクロム／銅／クロム（Ｃｒ／Ｃｕ／Ｃｒ）積層薄膜（厚み０．１μｍ〜１μｍ）等からなる。
【００１７】
また、酸化鉛（ＰｂＯ）、酸化ビスマス（Ｂｉ２Ｏ３）または酸化燐（ＰＯ４）を主成分とする低融点ガラスからなる第一誘電体層８（厚み４０μｍ）を、走査電極４および維持電極５を覆うように表面基板２上に形成している。また、放電空間１で発生する放電プラズマによる損傷から第一誘電体層８を保護するように、第一誘電体層８上に酸化マグネシウム（ＭｇＯ）からなる保護層９（厚み５００ｎｍ）を形成している。
【００１８】
一方、ガラスからなる背面基板３上には、走査電極４および維持電極５からなる表示電極と直交する方向に複数のデータ電極１０を形成している。データ電極１０は、たとえば銀厚膜（厚み２μｍ〜１０μｍ）、アルミニウム薄膜（厚み０．１μｍ〜１μｍ）またはクロム／銅／クロム積層薄膜（厚み０．１μｍ〜１μｍ）からなる。背面基板３上にはデータ電極１０を覆うように、第一誘電体層８の構成材料と同様な低融点ガラスからなる第二誘電体層１１（厚み５μｍ〜２０μｍ）を形成している。また、第二誘電体層１１上にはガラスを主成分とする隔壁１２が、データ電極１０間に位置するようにかつデータ電極１０と平行に形成されている。さらに、カラー表示のための３色（赤、緑、青）の蛍光体層１３を第二誘電体層１１上および隔壁１２の側面に設けている。なお、第二誘電体層１１を設けることによって蛍光体層１３の密着性を改善するようにしており、第二誘電体層１１が無いとパネルが動作しないというものではない。
【００１９】
また、図５に示すように、走査電極４および維持電極５からなる表示電極が行方向に伸長して複数並んで配置されており、１つの表示電極を構成する走査電極４と維持電極５との間には放電ギャップ１５が設けられている。また、データ電極１０と隔壁１２は列方向に伸長して配置されており、走査電極４および維持電極５からなる表示電極とデータ電極１０との交差部には一点鎖線で領域を示す放電セル１４が形成され、データ電極１０に沿って隣接する放電セル１４間では走査電極４同士または維持電極５同士がセル間ギャップ１６を隔てて隣り合って配置されている。
【００２０】
したがって、本実施の形態によるパネルは、２つの基板である表面基板２と背面基板３とを対向配置してその基板間に複数の放電セル１４を形成することにより構成され、一方の基板である表面基板２上に、走査電極４と維持電極５とからなる表示電極を、走査電極４同士および維持電極５同士が隣り合って並ぶように複数配列して形成し、かつ表示電極が各放電セル１４毎に１組配置されるように構成されている。
【００２１】
次に、本実施の形態によるパネルの表示動作について駆動電圧波形を示す図１を用いて説明する。テレビ映像を表示する場合、ＮＴＳＣ方式において映像は１秒間に６０個のフレームで構成されている。このパネルで画像表示を行う場合、一定の強さをもつ発光パルスの数を例えば１、２、４、８、１６、３２、６４、１２８のようにバイナリで重み付けした８個のサブフィールドによって１フレームを構成する。８個のサブフィールドはそれぞれの重み付けに応じた輝度の表示を行うものであり、これら８個のサブフィールドの中から表示に用いるサブフィールドを１個または複数個選択して所定輝度の表示を行うことにより階調表示を行っている。各サブフィールドは初期化期間、アドレス期間および表示期間からなる。
【００２２】
初期化期間では、まず維持電極５に全面同時消灯パルスを印加することにより前のサブフィールドでの維持放電を終了させる。続いて走査電極４に全面同時点灯パルスを印加することによりすべての放電セルについて初期化放電を行い、次に維持電極５に全面同時消灯パルスを印加して初期化放電を終了させる。これにより、すべての放電セルにおいて前のサブフィールドの表示期間における点灯状態の影響を受けないようにする。
【００２３】
初期化期間の後のアドレス期間では、１行目の走査電極４に走査パルスを印加すると同時に、所望のデータ電極１０に書き込み信号パルスを印加するとともに１行目の維持電極５に書き込みパルスを印加する。これにより、１行目の放電セル１４のうち点灯させたい放電セル１４で書き込み放電を起こし、保護層９の表面および蛍光体層１３の表面に壁電荷を蓄積させる。２行目以降のすべての行についても順次同様にして点灯させたい放電セル１４で書き込み放電を起こすことにより表示情報の書き込みを行う。
【００２４】
このように、アドレス期間では、すべての走査電極４に走査パルスを順次印加しており、各行の走査電極４に負の方向に変化する走査パルスを印加すると同時に、その行の維持電極５に正の方向に変化する書き込みパルスを印加することで他の行の維持電極５よりも電位を高くしている。すなわち、各行の走査電極４に走査パルスを印加するとともに、その走査電極４とともに表示電極を構成している維持電極５に走査パルスとは逆極性のパルス（書き込みパルス）を印加しており、本実施の形態のプラズマディスプレイ装置はそのための駆動手段を有している。
【００２５】
アドレス期間の後の表示期間では、走査電極４と維持電極５との間に数十ｋＨｚ〜数百ｋＨｚの放電維持パルスを印加することにより、アドレス期間において書き込み放電を起こした放電セル１４内でのみ維持放電を発生させる。維持放電で発生する紫外線によって蛍光体層１３を励起し、可視光を発生させて表示動作を行う。
【００２６】
ところで、従来のパネルでは、アドレス期間において維持電極５同士が隣り合っている行間で荷電粒子等のクロストークが多発し、正常な表示情報の書き込みを行うことができなかった。このクロストーク発生の原因は、例えばｍ行目に配置した電極を維持電極５ｍおよび走査電極４ｍとし、行間において維持電極５ｍと隣り合ったｎ行目の維持電極を維持電極５ｎとすると次のように説明できる。
【００２７】
すなわち、所定の行において書き込み放電を起こした場合、まずｍ行目の走査電極４ｍとデータ電極１０との間で電子が発生し、走査電極４ｍと維持電極５ｍとの間に電位差があることによってその放電が維持電極５ｍの方へ伸展し、走査電極４ｍと維持電極５ｍとの間にも放電が発生する。このとき維持電極５ｍと維持電極５ｎとは同電位となっているので、走査電極４ｍ側から維持電極５ｍの方へ伸展してきた電子は維持電極５ｎの方まで広がり、その結果、ｍ行目とｎ行目の行間においてクロストークが発生する。また、このときの維持電極５ｍおよび維持電極５ｎの電位は走査電極４ｍの電位よりも高いことから、走査電極４ｍ側から維持電極５ｍを超えて、維持電極５ｎの方にまで伸展してきた荷電粒子は主に電子であると推測できる。電子はＮｅやＸｅの正イオンに比べて移動度が格段に大きいため、数多くの電子が行間を超えて維持電極５ｎまで到達するため、クロストークによる誤表示が発生したものと考えられる。
【００２８】
そこで、本実施の形態においては図１に示すように、アドレス期間において書き込み放電を発生させる際に、例えばｍ行目の走査電極４ｍに印加される走査パルスに同期し、かつ走査パルスとは逆極性の書き込みパルスを同じ行の維持電極５ｍに印加している。このため、ｍ行目の維持電極５ｍの電位は、それに隣り合って配置されたｎ行目の維持電極５ｎの電位よりも高くなるため、維持電極５ｍと維持電極５ｎとの間のセル間ギャップ１６には、ｍ行目での書き込み放電により発生した電子の移動を減速させる方向に電界が生じる。そのため、走査電極４ｍ側から維持電極５ｍ側へ移動してきた電子が維持電極５ｎの方へ移動することが妨げられるので、上記のようなクロストークの発生は抑制される。
【００２９】
次に、図５に示す従来の表示電極配列のまま、図６に示した駆動波形によって駆動したときにアドレス期間において行間でクロストークが発生しないようなパネルを作製した。すなわち、放電セル１４の大きさおよび放電ギャップ１５の長さは変えず、走査電極４および維持電極５の幅を狭くすることによりセル間ギャップ１６の長さを大きくした比較用パネルを作製し、この比較用パネルに図６の駆動波形を印加する駆動手段を設けて比較用のプラズマディスプレイ装置を構成した。
【００３０】
そして、図５に示した構成のパネルに図１の駆動波形を印加する駆動手段を設けて本実施の形態のプラズマディスプレイ装置を構成してその発光輝度Ｂ１を測定するとともに、比較用のプラズマディスプレイ装置の発光輝度Ｂｃを測定したところ、発光輝度Ｂ１は発光輝度Ｂｃよりも大きい値が得られた。すなわち、本実施の形態のプラズマディスプレイ装置では、そのパネルのセル間ギャップ１６の長さを比較用パネルのセル間ギャップ１６の長さに比べて小さく設定しても行間でのクロストークの発生を抑制することができるので、本実施の形態によるパネルでは比較用パネルに比べて放電領域を大きくすることができ、そのため発光輝度が高くなったものと考えられる。
【００３１】
したがって、本実施の形態のプラズマディスプレイ装置によれば、アドレス期間におけるクロストークの発生を抑制することができるので誤表示のない良質な画像表示が得られるとともに、放電領域を大きくすることができるので発光輝度を高くすることができる。
【００３２】
次に、本発明の第２の実施の形態によるプラズマディスプレイ装置について説明する。図２はこの実施の形態によるパネルの要部を示す断面図である。第１の実施の形態によるパネルと異なる点は走査電極および維持電極の構成であり、第２の実施の形態によるパネルでは全ての行間において維持電極同士が隣接して配置されている。走査電極および維持電極以外のパネル構成は、第１の実施の形態によるパネルと同じである。
【００３３】
第２の実施の形態によるパネルでは、表面基板２上に、第一維持電極２０、走査電極２１および第二維持電極２２を順に配置することにより構成した表示電極を複数形成している。第一維持電極２０、走査電極２１および第二維持電極２２はそれぞれ透明電極６とその上に形成したバス電極７とにより構成されている。第一維持電極２０、走査電極２１および第二維持電極２２からなる表示電極は、背面基板３上に形成されたデータ電極１０と直交する方向に形成されている。
【００３４】
図３は第一維持電極２０、走査電極２１および第二維持電極２２とデータ電極１０および隔壁１２との位置関係がわかるように示した概略図である。図３に示すように、第一維持電極２０、走査電極２１および第二維持電極２２からなる表示電極が行方向に伸長して複数並んで配置されており、１つの表示電極を構成する走査電極２１と第一維持電極２０および第二維持電極２２との間にはそれぞれ放電ギャップ１５が設けられている。また、データ電極１０と隔壁１２は列方向に伸長して配置されており、表示電極とデータ電極１０との交差部には一点鎖線で領域を示す放電セル１４が形成され、データ電極１０に沿って隣接する放電セル１４間では第一維持電極２０と第二維持電極２２とがセル間ギャップ１６を隔てて隣り合って配置されている。
【００３５】
したがって、第２の実施の形態によるパネルは、２つの基板である表面基板２と背面基板３とを対向配置してその基板間に複数の放電セル１４を形成することにより構成され、一方の基板である表面基板２上に、第一維持電極２０、走査電極２１および第二維持電極２２を、この順に構成される表示電極が各放電セル１４毎に１組配置されるように形成して構成されている。
【００３６】
第２の実施の形態によるパネルの駆動波形は図１に示したものと同様であり、図１に示した各行の維持電極の駆動波形を、各行の第一維持電極２０および第二維持電極２２に印加し、各行の走査電極の駆動波形を各行の走査電極２１に印加し、データ電極の駆動波形をデータ電極１０に印加するように構成する。
【００３７】
初期化期間では、まず第一維持電極２０および第二維持電極２２に全面同時消灯パルスを印加することにより前のサブフィールドでの維持放電を終了させる。続いて走査電極２１に全面同時点灯パルスを印加することによりすべての放電セルについて初期化放電を行い、次に第一維持電極２０および第二維持電極２２に全面同時消灯パルスを印加して初期化放電を終了させる。これにより、すべての放電セルにおいて前のサブフィールドの表示期間における点灯状態の影響を受けないようにする。
【００３８】
初期化期間の後のアドレス期間では、１行目の走査電極２１に走査パルスを印加すると同時に、所望のデータ電極１０に書き込み信号パルスを印加するとともに１行目の第一維持電極２０および第二維持電極２２に書き込みパルスを印加する。これにより、１行目の放電セル１４のうち点灯させたい放電セル１４で書き込み放電を起こし、保護層９の表面および蛍光体層１３の表面に壁電荷を蓄積させる。２行目以降のすべての行についても順次同様にして点灯させたい放電セル１４で書き込み放電を起こすことにより表示情報の書き込みを行う。
【００３９】
アドレス期間では、すべての走査電極２１に走査パルスを順次印加しており、各行の走査電極２１に負の方向に変化する走査パルスを印加すると同時に、その行の第一維持電極２０および第二維持電極２２に正の方向に変化する書き込みパルスを印加することで他の行の第一維持電極２０および第二維持電極２２よりも電位を高くしている。すなわち、各行の走査電極２１に走査パルスを印加するとともに、その走査電極２１とともに表示電極を構成している第一維持電極２０および第二維持電極２２に走査パルスとは逆極性のパルス（書き込みパルス）を印加しており、第２の実施の形態によるプラズマディスプレイ装置はそのための駆動手段を有している。
【００４０】
アドレス期間の後の表示期間では、走査電極２１と第一維持電極２０および第二維持電極２２との間に数十ｋＨｚ〜数百ｋＨｚの放電維持パルスを印加することにより、アドレス期間において書き込み放電を起こした放電セル１４内でのみ維持放電を発生させる。維持放電で発生する紫外線によって蛍光体層１３を励起し、可視光を発生させて表示動作を行う。
【００４１】
第２の実施の形態においては図３に示すように、各行の第一維持電極２０は隣の行の第二維持電極２２と隣り合って配置され、各行の第二維持電極２２は隣の行の第一維持電極２０と隣り合って配置されている。そこで図１に示すように、アドレス期間において書き込み放電を発生させる際に、例えばｍ行目の走査電極２１ｍに印加される走査パルスに同期し、かつ走査パルスとは逆極性の書き込みパルスを同じ行の第一維持電極２０ｍおよび第二維持電極２２ｍに印加している。このため、ｍ行目の第一維持電極２０ｍの電位は、それに隣り合って配置された隣接行の第二維持電極２２の電位よりも高くなり、ｍ行目の第二維持電極２２ｍの電位は、それに隣り合って配置された隣接行の第一維持電極２０の電位よりも高くなるため、ｍ行目とその両側の行との間の各セル間ギャップ１６には、ｍ行目での書き込み放電により発生した電子の移動を減速させる方向に電界が生じる。したがって、走査電極２１ｍ側から第一維持電極２０ｍおよび第二維持電極２２ｍ側へそれぞれ移動してきた電子が、それぞれ隣の行の第二維持電極２２および第一維持電極２０の方へ移動することが妨げられるので、アドレス期間においてセル間ギャップ１６でのクロストークの発生は抑制される。
【００４２】
次に、図３に示した構成のパネルに図１の駆動波形を印加する駆動手段を設けて第２の実施の形態によるプラズマディスプレイ装置を構成して発光輝度Ｂ２を測定した。そして、前述した比較用のプラズマディスプレイ装置の発光輝度Ｂｃと比較したところ、発光輝度Ｂ２は発光輝度Ｂｃよりも大きい値が得られた。すなわち、第２の実施の形態によるプラズマディスプレイ装置では、そのパネルのセル間ギャップ１６の長さを比較用パネルのセル間ギャップ１６の長さに比べて小さく設定しても行間でのクロストークの発生を抑制することができるので、第２の実施の形態によるパネルでは比較用パネルに比べて放電領域を大きくすることができ、そのため発光輝度が高くなったものと考えられる。
【００４３】
なお、第２の実施の形態によるパネルでは、走査電極２１とその両側に配置された第一維持電極２０および第二維持電極２２との間で放電を発生させているので、放電に必要な壁電荷量についてみれば、第一維持電極２０および第二維持電極２２それぞれの上での壁電荷量に比べて走査電極２１上での壁電荷量の方が多くなる。このため、第一維持電極２０の幅および第二維持電極２２の幅がそれぞれ走査電極２１の幅よりも狭くなるように構成することによりパネルをより安定に動作させることができる。
【００４４】
なお、上記実施の形態では、各放電セルに配置される表示電極が走査電極および維持電極からなる場合、走査電極、第一維持電極および第二維持電極からなる場合について説明したが、表示電極がこれら以外の構成でもよい。例えば、各行に配置される表示電極が走査電極と維持電極とが交互に配列された２つの走査電極と２つの維持電極とからなり、セル間ギャップを介して維持電極同士が隣り合うように表示電極が配置されたパネルに本発明を適用することで同様の効果を得ることができる。この場合には、維持電極同士が隣り合ったセル間ギャップと走査電極同士が隣り合ったセル間ギャップとが交互に形成される。すなわち、２つの基板を対向配置してその基板間に複数の放電セルを形成することにより構成され、一方の基板上に、少なくとも走査電極と維持電極とからなる表示電極を、その表示電極が間にセル間ギャップを設けて各放電セル毎に１組配置されるとともに所定のセル間ギャップを介して維持電極同士が隣り合って並ぶように形成したパネルに対して、図１を用いて説明した駆動波形を適用することで、同様の効果を得ることができる。
【００４５】
【発明の効果】
以上のように本発明によれば、アドレス期間においてクロストークの発生を抑制することができ、高輝度で良質な画像表示が可能なプラズマディスプレイ装置を提供することができる。
【図面の簡単な説明】
【図１】本発明の一実施の形態におけるプラズマディスプレイパネルの駆動電圧波形を示す波形図
【図２】本発明の一実施の形態におけるプラズマディスプレイパネルの要部を示す断面図
【図３】同プラズマディスプレイパネルの表示電極の配置を示す概略図
【図４】従来のプラズマディスプレイパネルの要部を示す斜視図
【図５】従来のプラズマディスプレイパネルの表示電極の配置を示す概略図
【図６】従来のプラズマディスプレイパネルの駆動電圧波形を示す波形図
【符号の説明】
２　表面基板
３　背面基板
４　走査電極
５　維持電極
１０　データ電極
１４　放電セル
２０　第一維持電極
２１　走査電極
２２　第二維持電極
【図１】
2004070138.tif 000003
【図２】
2004070138.tif 000004
【図３】
2004070138.tif 000005
【図４】
2004070138.tif 000006
【図５】
2004070138.tif 000007
【図６】
2004070138.tif 000008